(57)【要約】      【課題】  高摩擦部以外のキックローラの外周面が紙葉類に接触して紙葉類が不用意に繰り出されるのを防止でき、また、紙葉類の重送をより確実に防ぐことができる紙葉類の繰り出し装置を提供する。    【解決手段】  紙葉類の積層体の最外側に位置する紙葉類に圧接されて該紙葉類を取り出すためのキックローラと、積層体から取り出された紙葉類を繰り出すためのフィードローラと、該フィードローラと対向して設けられ、紙葉類の重送を阻止するゲートローラとを備えた紙葉類の繰り出し装置において、高摩擦係数部材からなる突起部をフィードローラの外周面の一部に設け、突起部の外周面を紙葉類に圧接させ、かつ、突起部以外のキックローラの外周面を紙葉類に非接触状態にしてキックローラを回転させるように構成したことを特徴とする。  【選択図】    図１
2007070029.tif 000002
【特許請求の範囲】
【請求項１】
紙葉類の積層体の最外側に位置する紙葉類に圧接されて該紙葉類を取り出すためのキックローラと、前記積層体から取り出された前記紙葉類を繰り出すためのフィードローラと、該フィードローラと対向して設けられ、前記紙葉類の重送を阻止するゲートローラとを備えた紙葉類の繰り出し装置において、
高摩擦係数部材からなる突起部を前記フィードローラの外周面の一部に設け、
前記突起部の外周面を前記紙葉類に圧接させ、かつ、前記突起部以外の前記キックローラの外周面を前記紙葉類に非接触状態にして前記キックローラを回転させるように構成したことを特徴とする紙葉類の繰り出し装置。
【請求項２】
前記紙葉類の繰り出し方向と逆方向に回転する前記ゲートローラの一部を前記紙葉類積層体の端面に接触させることにより、前記積層体の前記紙葉類の間に空気を進入させて前記紙葉類同士の密着状態が解消するように捌くことを特徴とする請求項１に記載の紙葉類の繰り出し装置。
【発明の詳細な説明】
【技術分野】
【０００１】
本発明は、自動発券機などに用いられる紙葉類の繰り出し装置に関するものである。
【背景技術】
【０００２】
この種の紙葉類の繰り出し装置は、トレイに積まれた紙葉類の下にキックローラが圧接状態で備えられ、このキックローラが回転して紙葉類を送り出し、続いてフィードローラで更に紙葉類を送り出し、また、紙葉類が重送された場合にはゲートローラを反給紙方向に回転させて重送された紙葉類を停止させて紙葉類を１枚のみ送るように構成され、キックローラの外周面の一部が高摩擦部とされている（特許文献１等）。
【０００３】
しかしながら、紙葉類とキックローラの外周面とは常に圧接状態となっているので、高摩擦部以外のキックローラの外周面が紙葉類に接触した場合であっても摩擦力が作用して紙葉類が不用意に繰り出され、誤動作が生じ易くなるという問題があった。
【０００４】
また、紙葉類が重送された場合には、該紙葉類がガイドに噛み込んで紙葉類の繰り出しが不可能になるのを防ぐためにゲートローラが設けられているが、摩擦係数の大きな紙葉類の場合には、積層された紙葉類間に大きな摩擦力が発生し、重送される紙葉類をゲートローラによって逆繰り出し方向に戻すだけでは重送を十分に防止できないという問題があった。
【特許文献１】特開２００１−１６３４６４号公報
【発明の開示】
【発明が解決しようとする課題】
【０００５】
そこで、本発明は、高摩擦部以外のキックローラの外周面が紙葉類に接触して紙葉類が不用意に繰り出されるのを防止でき、また、紙葉類の重送をより確実に防ぐことができる紙葉類の繰り出し装置を提供することを課題とする。
【課題を解決するための手段】
【０００６】
本発明者は、前記課題を解決するために鋭意研究を重ねて完成されたものである。
１．紙葉類の積層体の最外側に位置する紙葉類に圧接されて該紙葉類を取り出すためのキックローラと、前記積層体から取り出された前記紙葉類を繰り出すためのフィードローラと、該フィードローラと対向して設けられ、前記紙葉類の重送を阻止するゲートローラとを備えた紙葉類の繰り出し装置において、高摩擦係数部材からなる突起部を前記フィードローラの外周面の一部に設け、前記突起部の外周面を前記紙葉類に圧接させ、かつ、前記突起部以外の前記キックローラの外周面を前記紙葉類に非接触状態にして前記キックローラを回転させるように構成したことを特徴とする紙葉類の繰り出し装置を提供する。
２．前記紙葉類の繰り出し方向と逆方向に回転する前記ゲートローラの一部を前記紙葉類積層体の端面に接触させることにより、前記積層体の前記紙葉類の間に空気を進入させて前記紙葉類同士の密着状態が解消するように捌くことを特徴とする前記１に記載の紙葉類の繰り出し装置を提供する。
【発明の効果】
【０００７】
本発明の紙葉類の繰り出し装置によれば、高摩擦係数部材からなる突起部を前記フィードローラの外周面の一部に設け、前記突起部の外周面を前記紙葉類に圧接させ、かつ、前記突起部以外の前記キックローラの外周面を前記紙葉類に非接触状態にして前記キックローラを回転させるように構成したので、キックローラの突起部が紙葉類に圧接しているときだけ紙葉類が繰り出され、突起部による繰り出し動作後に紙葉類が不用意に繰り出されるのを防止できる。
【０００８】
また、前記紙葉類の繰り出し方向と逆方向に回転する前記ゲートローラの一部を前記紙葉類積層体の端面に接触させ、前記積層体の前記紙葉類の間に空気を進入させて前記紙葉類同士の密着状態が解消すれば、繰り出す際の紙葉類の重送をより確実に防止できる。しかも、前記ゲートローラを利用して紙葉類を捌くので、装置が複雑化せず、生産コストの面でも有利になる。
【発明を実施するための最良の形態】
【０００９】
以下、本発明に係るチケット（紙葉類の一例）Ｔの繰り出し装置の実施形態について図面を参照しつつ説明する。なお、紙葉類には、乗車券、食券、商品券、図書券等のチケット類の他に、紙幣なども含まれる。
【００１０】
図１及び図２のように繰り出し装置Ａは、後述する自動発券機Ｂに用いられるものであって、チケットＴの積層体Ｔ１の券収容部１と、チケットＴの積層体Ｔ１の上に載せられて該積層体Ｔ１を上から押圧する重り２と、該積層体Ｔ１の最下位に位置するチケットＴを取り出すためのキックローラ３と、積層体Ｔ１から取り出されたチケットＴを繰り出すためのフィードローラ４と、フィードローラ４と対向して設けられ、チケットＴが重ねられた状態で搬送されるのを防止するゲートローラ５と、を備えている。
【００１１】
キックローラ３の外周面の一部からはシリコン系ゴム等の高摩擦係数部材からなる突起部３１が突設され、突起部３１の外周面は積層体Ｔ１の最下位のチケットＴに直に圧接し（図１（ａ））、突起部３１以外のキックローラ３の外周面は該チケットＴと非接触状態となるように設定されている（図１（ｂ））。突起部３１の外周面は円弧状であって、その中心はローラ中心と同じであり、円弧角は例えば略４５度に設定されている。
【００１２】
ゲートローラ５はチケットＴの繰り出し方向と逆方向に回転してチケットＴの重送を防止する。また、ゲートローラ５の上向き回転側はチケットＴの積層体Ｔ１の端面に接触し（図１）、これにより積層体Ｔ１のチケットＴを上方に押し上げてチケット１の間に空気を進入させてチケットＴ同士の密着状態を解消する。
【００１３】
繰り出し装置Ａは、更に、駆動側の搬送ローラ６、従動側の搬送ローラ７、及び上下ガイド８，９を備えている。駆動搬送ローラ６及び従動搬送ローラ７はフィードローラ４よりも搬送下流側に配設されている。上下ガイド８，９はキックローラ３によって繰り出されたチケットＴをフィードローラ４及びキックローラ３の間を通って搬送ローラ６，７の間に導くものであって、チケットＴ一枚分の隙間を設けて配設されている。なお、フィードローラ４、ゲートローラ５及び搬送ローラ６，７の各外周部には、全周にわたってシリコン系ゴム等の高摩擦係数部材が周設されている。
【００１４】
また、搬送ローラ６，７の搬送下流側には、チケットＴの通過を検知する透過形センサーＳ１が配設されている。
【００１５】
券収容部１は、前後左右に配設される側板部１ａ及び底板部１ｂとで形成され、チケットＴの搬出方向に位置する側板部１ａの下部は湾曲部１ｃを介して上ガイド８と連続している。また、底板部１ｂには開口部１ｄ，１ｅが設けられ、券収容部１内にチケットＴが無いことを検知する反射形センサーＳ２は開口部１ｄに対応する位置に設けられ、キックローラ３の突起部３１は開口部１ｅから進入してチケットＴと接触し、ゲートローラ５は湾曲部１ｃに設けられた開口部１ｆから券収容部１内及びチケットＴが搬送される通路に突出している。
【００１６】
キックローラ３、フィードローラ４、ゲートローラ５及び搬送ローラ６は、図外の共用モータＭの駆動によって伝達ベルト１０を介して同期回転するようになっている。
【００１７】
そして、券繰り出し装置Ａは、図１（ｂ）（ｃ）のようにキックローラ３の一回転毎に、突起部３１によって積層体Ｔ１の最下位のチケットＴを一枚ずつ券収容部１から繰り出した後に、該チケットＴを上下ガイド８，９によってフィードローラ４とフィードローラ４との間に導き、また、最下位のチケットＴに付いて重送されようとするチケットＴはフィードローラ４によって押し戻される。
【００１８】
繰り出されたチケットＴがセンサーＳ１を通過する際に、該チケットＴを検知して検知信号を出力し、この検知信号は後述の制御部Ｂ４に入力され、制御部Ｂ４から共用モータの駆動回路に停止信号が出力されて該共用モータを停止させる。
【００１９】
また、券収容部１内のチケットＴがなくなったときには、センサーＳ２はそれを検知して検知信号を出力し、この検知信号は制御部Ｂ４に入力され、該制御部Ｂ４からの信号によって自動発券機の図外の売り切れランプを点灯させる。
【００２０】
かかる繰り出し装置Ａが組み込まれる自動発券装置Ｂは、図３のように所望の乗車区間の情報を入力することにより入力信号を発信する入力部Ｂ１と、券取り出し部Ｂ２と、乗車区間を最低乗車料金で乗り継ぐために、該乗車区間の最大割引率の割引運賃のデータが記憶された記憶部Ｂ３と、該データに基づいて選択信号を発信する制御部Ｂ４とを備え、これらは図４に示すハウジングＢ５内に収納されている。
図２のようにハウジングＢ５の前面部には、乗車区間の情報を入力するための入力釦Ｂ５１、紙幣投入口Ｂ５２、硬貨投入口Ｂ５３、投入金額表示部Ｂ５４、券払い出し口Ｂ５５、金銭の返却を指令する返却レバーＢ５６、釣り銭返却口Ｂ５７等が設けられている。これらは、総て周知の技術であるため、それぞれの詳細な説明は省略する。
【００２１】
券取り出し部Ｂ２は、複数のチケットＴの繰り出し装置Ａと、繰り出されたチケット（割引乗車券）Ｔを券払い出し口Ｂ５５まで搬送する図外の搬送路とを備えている。券繰り出し装置Ａは、チケットＴの種類の数と同数だけ備わっている。なお、同一路線であっても、乗車日、乗車時間等によって割引率が異なる場合には、これらの乗車券は種類の異なるものとして扱われる。
【００２２】
かかる自動発券装置Ｂによれば、例えば、ＪＲ琵琶湖線の「彦根」駅からＪＲ神戸線の「芦屋」駅までの乗車区間を表示する入力釦Ｂ５１を押すと、入力信号を発信し、該入力信号に基づいて記憶部Ｂ３から前記データを読み出し、該データに基づいて制御部Ｂ４から選択信号を発信し、該選択信号に基づいて券取り出し部Ｂ２の繰り出し装置Ａを動作させることにより、複数枚の組み合わせチケットＴが発券される。
【図面の簡単な説明】
【００２３】
【図１】（ａ）〜（ｃ）本発明の紙葉類の券繰り出し装置の実施形態の動作を示す側断面図である。
【図２】同実施形態の底面図である。
【図３】本発明の券繰り出し装置が組み込まれた自動発券装置を示すブロック図である。
【図４】同自動発券装置の正面図である。
【符号の説明】
【００２４】
Ｔ        チケット（紙葉類）
Ａ        繰り出し装置
１        券収容部
３        キックローラ
３１      突起部
４        フィードローラ
５        ゲートローラ
【図１】
2007070029.tif 000003
【図２】
2007070029.tif 000004
【図３】
2007070029.tif 000005
【図４】
2007070029.tif 000006